(57)【特許請求の範囲】
【請求項１】
来訪者を撮像するカメラを具備し、居住者を呼び出して通話する機能を備えた玄関子機と、前記カメラの撮像映像を表示するモニタを具備し、前記玄関子機からの呼び出しに応答する機能を備えた居室親機とを有するテレビインターホン装置であって、
前記玄関子機、前記居室親機の何れか一方に、前記カメラが撮像した映像を録画する録画部を設けると共に、前記居室親機に、前記カメラが撮像した映像のパン／チルト操作を行うパン／チルト操作部と、パン／チルト処理を実行する電子パン／チルト処理部とを設け、
前記録画部は、常に前記カメラが撮像する全画面映像を録画し、前記電子パン／チルト処理部は、前記カメラの撮像映像に加えて前記録画部の録画映像に対してもパン／チルト処理を実施可能で、前記パン／チルト操作部の操作を受けて何れの映像でも前記モニタにパン／チルト処理された映像を表示することを特徴とするテレビインターホン装置。
【発明の詳細な説明】
【技術分野】
【０００１】
本発明は、来訪者を撮像するカメラを備えて、居住者は来訪者映像を見ながら応答できるテレビインターホン装置に関し、特に映像のパン／チルト操作が可能なテレビインターホン装置に関する。
【背景技術】
【０００２】
玄関子機に来訪者を撮像するカメラを設けると共に、居室親機にその撮像映像を出画するモニタを設けて、居住者が玄関子機からの呼び出しに応答する際、来訪者映像を見ながら応答できるテレビインターホン装置が普及している。このようなテレビインターホン装置において、モニタに表示される来訪者の出画位置を変更したり、映像の一部を拡大して見ることできるように電子パン／チルトを可能としたものがある（例えば、特許文献１参照）。このように電子パン／チルト機能を備えることで、カメラの撮像方向を変更したり、レンズにズーム機能を設けることなく、カメラ撮像映像の中の見たい部分を拡大してモニタに出画させることができた。
【０００３】
また、カメラが撮像した映像を録画する機能を備えたものが普及している。この録画機能は、留守時に来た来訪者の映像を録画して留守時の訪問者を確認したり、居住者がモニタを見ている時に録画したい来訪者であったら出画映像を録画するのに使用され、不審者等の記録を残すのに便利であった（例えば、特許文献２）。
【０００４】
【特許文献１】特開平５−１７６２１３号公報
【特許文献２】特開２００５−１０２０９１号公報
【発明の開示】
【発明が解決しようとする課題】
【０００５】
しかしながら、上述したように居住者がモニタを見ている時に録画される映像はモニタに出画されている映像となるため、パン／チルト或いはズーム操作した映像が出画されている場合は、同様にパン／チルト或いはズームした同一映像が録画され、モニタに出画されずに死角となっている部分が録画されることはなかった。そのため、パン／チルト操作で見たい部分のみをモニタに出画できても、逆にモニタに表示されずに死角になった周囲の領域に関して後から確認する手段がなく、パン／チルト操作が防犯上必ずしも有効な手段ではなかった。
【０００６】
そこで、本発明はこのような問題点に鑑み、居住者が電子パン／チルト操作を行ったとしても、録画装置には撮像しているカメラの全画面が記録され、録画映像に対しても電子パン／チルト操作を可能とするテレビインターホン装置を提供することを目的とする。
【課題を解決するための手段】
【０００７】
上記課題を解決する為に、請求項１の発明は、来訪者を撮像するカメラを具備し、居住者を呼び出して通話する機能を備えた玄関子機と、カメラの撮像映像を表示するモニタを具備し、玄関子機からの呼び出しに応答する機能を備えた居室親機とを有するテレビインターホン装置であって、玄関子機、居室親機の何れか一方に、カメラが撮像した映像を録画する録画部を設けると共に、居室親機に、カメラが撮像した映像のパン／チルト操作を行うパン／チルト操作部と、パン／チルト処理を実行する電子パン／チルト処理部とを設け、録画部は、常にカメラが撮像する全画面映像を録画し、電子パン／チルト処理部は、カメラの撮像映像に加えて録画部の録画映像に対してもパン／チルト処理を実施可能で、パン／チルト操作部の操作を受けて何れの映像でもモニタにパン／チルト処理された映像を表示することを特徴とする。
【０００８】
この構成によれば、録画部に録画される映像は常にカメラが撮像する全画面映像であるため、カメラの撮像映像をパン／チルト操作して死角となる領域が発生しても、その間録画することで後から死角となっていた領域を確認できる。而も、録画映像に対してもパン／チルト操作できるので、防犯性を高めることができる。
また、録画部の映像データとカメラが撮像する映像データを同一の形式にできるので、カメラの撮像映像のパン／チルト処理する回路で録画映像をパン／チルト処理でき、録画映像の電子パン／チルト処理のために別途パン／チルト処理部を必要としない。
【発明の効果】
【０００９】
本発明によれば、カメラの撮像映像をパン／チルト操作して死角となる領域が発生しても、その間録画することで後から死角となっていた領域を確認できる。而も、録画映像に対してもパン／チルト操作できるので、防犯性を高めることができる。
【発明を実施するための最良の形態】
【００１０】
以下、本発明を具体化した実施の形態を、図面に基づいて詳細に説明する。図１は本発明に係るテレビインターホン装置のブロック図を示し、１は玄関等に設置されて来訪者が居住者を呼び出して通話するための玄関子機、２は居室に設置されて玄関子機１からの呼び出しに居住者が応答するための居室親機である。
【００１１】
玄関子機１は、レンズ３ａ、ＣＣＤセンサ３ｂ、電子回路にて構成される画像処理部３ｃを備えたカメラ３、映像信号を伝送するために変調を行う変調部４、通話するためのマイク５及びスピーカ６、このマイク５及びスピーカ６を制御する電子回路にて構成される音声部７、呼出ボタン８、居室親機２と通信するためのインターフェース（子機ＩＦ）９を備えている。
【００１２】
居室親機２は、玄関子機１と通信するためのインターフェース（親機ＩＦ）１１、伝送されてきた映像信号を復調する復調部１２、映像を録画しておくための録画部１３、映像を出画するモニタ１４、出画映像のパン／チルト操作や各種操作を行う操作部１５、通話するためのマイク１６及びスピーカ１７、電子回路にて構成されマイク１６及びスピーカ１７を制御する音声部１８、モニタ１４に出画された映像のパン／チルトを実行する電子パン／チルト処理部１９、居室親機２の各回路を制御すると共に玄関子機１を制御するＣＰＵを備えた制御部２０を備えている。
【００１３】
このように構成されたテレビインターホン装置は次のように動作する。玄関子機１の呼出ボタン８が操作されると、呼出信号が子機ＩＦ９を介して居室親機２に伝送され、親機ＩＦ１１を介して制御部２０で認識される。呼出信号を受信した制御部２０は、音声部１８を制御してスピーカ１７から呼出音を鳴動させる一方、カメラ起動信号を玄関子機１に送信し、カメラ３が来訪者の撮像を開始する。
起動したカメラ３の撮像映像は、変調部４でＦＭ変調されて居室親機２に伝送され、復調部１２で元の映像信号に復調される。こうして、電子パン／チルト処理部１９、ビデオアンプを介してモニタ１４に出画される。
【００１４】
そして、スピーカ１７からの呼出音に気づいた居住者により応答操作がなされると、居室親機２と玄関子機１との間で通話路が形成され、居住者はモニタ１４に出画された来訪者映像を見ながら来訪者と通話が実施される。
このとき、即ち応答する際あるいは応答中に、操作部１５が操作されてパン／チルト操作が成されると、電子パン／チルト処理部１９により出画映像のパン／チルトが行われる。この操作は、例えばモニタ１４上に設けられたタッチパネルにより行われ、タッチした部位の映像が拡大される。こうして、出画画像の任意部位のズーム処理（パン／チルト処理）を実施する。尚、モニタ１４に最初に出画する映像は、カメラ３が撮像する全画面映像となっている。
【００１５】
また、応答操作の如何に関わらず、モニタ１４に映像出画中に操作部１５の操作により録画操作が成されたら、復調部１２で復調された直後の映像が録画される。この録画される映像信号は、パン／チルト操作により変化することのない信号であり、常にカメラ３が撮像している全画面映像が録画される。
この録画映像の再生は操作部１５の所定の操作で実施され、パン／チルト処理部１９を介してモニタ１４に出画される。そして、この時パン／チルト操作を行えば、電子パン／チルト処理部１９が動作してカメラ３撮像映像の場合と同様にパン／チルト処理を実行し、任意部位の拡大映像がモニタ１４に出画される。
【００１６】
このように、録画部に録画される映像は常にカメラが撮像する全画面映像であるため、カメラの撮像映像をパン／チルト操作して死角となる領域が発生しても、その間録画することで後から死角となっていた領域を確認できる。而も、録画映像に対してもパン／チルト操作できるので、防犯性を高めることができる。
また、録画部の映像データとカメラが撮像する映像データを同一の形式にできるので、カメラの撮像映像のパン／チルト処理する回路で録画映像をパン／チルト処理でき、録画映像の電子パン／チルト処理のために別途パン／チルト処理部を必要としない。
【００１７】
尚、上記実施形態では、録画部１３を居室親機２に設けているが、玄関子機１に設けても良い。
【図面の簡単な説明】
【００１８】
【図１】本発明に係るテレビインターホン装置の一例を示すブロック図である。
【符号の説明】
【００１９】
１・・玄関子機、２・・居室親機、３・・カメラ、１３・・録画部、１４・・モニタ、１５・・操作部（パン／チルト操作部）、１９・・電子パン／チルト処理部、２０・・制御部。
【図１】
0005122915.tif 000002